(57)【特許請求の範囲】
【請求項１】
倉庫において入出庫の対象となる物品を倉庫内部で管理するための、管理データの入力操作を受け付ける管理データ入力装置と、その管理データを記憶して処理する管理サーバとが設けられ、
上記物品の保管状態を変更する作業が行われるとき、その物品の識別コードと、その作業場所を特定するデータとが上記管理データ入力装置により取得され、作業の撮影時刻を示すデータとともに、上記管理データに含める処理が実行され、
上記の作業場所には、上記物品の保管状態を変更する作業を撮影するためのカメラが設置されており、
このカメラで撮影をして記憶装置に記憶させた画像データを含む画像データファイルには、その撮影場所を特定するロケーションコードと撮影時刻を特定するデータが属性データとして付加され、
上記カメラの設置時に、撮影した画像から自動的にロケーションコードを取得して、画像データファイルの属性データを生成するロケーションコード設定手段を備え、
任意の物品の保管状態を変更する作業の履歴を検索する検索装置は、
上記の管理データから該当する物品の保管状態を変更する作業の際に上記取得された作業場所を特定するデータと作業の撮影時刻を示すデータとを抽出して、
上記作業場所を特定するデータと上記ロケーションコードとが一致するときはそのロケーションコードを、上記作業場所を特定するデータと上記ロケーションコードとの対応関係を示す参照データが存在するときはその参照データから得られたロケーションコードをキーにして、上記作業の撮影時刻が一致しまたは近似する画像データを上記画像データファイルから抽出して、ディスプレイに表示出力する画像データ検索手段を備えたことを特徴とする倉庫管理システム。
【請求項２】
作業場所を撮影した画像データに自動的に撮影時刻を示すデータを属性データとして付加する画像データ生成手段を備えたことを特徴とする請求項１に記載の倉庫管理システム。
【請求項３】
管理データを更新するための処理で物品の識別コードと棚番号が入力されたとき、取扱時刻と棚番号に対応するロケーションコードを自動的に取得して管理データに付加する管理データ入力装置を備えたことを特徴とする請求項１に記載の倉庫管理システム。
【請求項４】
作業の担当者が装着するマイクとイヤホンを備えた端末装置と、
この端末装置を通じて、音声を使用して作業の内容の指示と応答を送受信するように制御する自動音声応答手段と、
上記マイクから入力する音声を文字コードに変換する音声認識手段と、
上記文字コード化された作業の内容の指示と応答と、その作業の撮影時刻とを含む応答記録データファイルと、
上記画像データ検索手段により、画像データファイルから抽出された画像データの作業の撮影時刻を読み取って、この作業の撮影時刻の前後の一定の時間範囲か一定のデータ量を設定して、該当する抽出応答データを応答記録データファイルから取り出し、上記画像データと合成して上記ディスプレイに表示出力する画像合成手段を備えたことを特徴とする請求項２に記載の倉庫管理システム。
【請求項５】
作業の担当者が装着するマイクとイヤホンを備えた端末装置と、
この端末装置を通じて、音声を使用して作業の内容の指示と応答を送受信するように制御する自動音声応答手段と、
上記マイクから入力する音声を文字コードに変換する音声認識手段と、  上記文字コード化された作業の内容の指示と応答と、その作業の撮影時刻とを含む応答記録データファイルと、
上記画像データ検索手段により、画像データファイルから抽出された画像データの作業の撮影時刻を読み取って、この作業の撮影時刻の前後の一定の時間範囲か一定のデータ量を設定して、該当する抽出応答データを応答記録データファイルから取り出し、上記画像データと同期させて上記ディスプレイに表示出力する画像合成手段を備えたことを特徴とする請求項２に記載の倉庫管理システム。
【請求項６】
上記ディスプレイには、画像データファイルから読み出された撮影画像を表示する撮影画像表示ウインドウと、応答記録データファイルから読み出された文字データを表示する応答表示ウインドウとが表示され、
上記撮影画像と上記応答記録データの表示を同期させる手段と、
上記撮影画像の表示を固定した状態で上記応答記録データの表示をスクロールさせる手段と、
上記応答記録データの表示を固定した状態で上記撮影画像の表示をスクロールさせる手段とを備えたことを特徴とする請求項５に記載の倉庫管理システム。
【請求項７】
出荷される梱包体毎に、その梱包体の前記倉庫内部での梱包作業を撮影した画像を、前記画像データファイルから抽出するための検索式もしくは検索式を特定するデータを符号化して、照会コードを生成する符号化手段と、
前記梱包体の納品書に前記照会コードを表示する納品書生成手段と、
前記照会コードを受信して前記検索式を生成する復号化手段と、
前記検索式を使用して前記画像データファイルから抽出画像データを得る画像データ検索手段と、
前記抽出画像データをダウンロードサイトにアップロードして、出荷先にそのウェブサイトを指定する情報を送信する通知手段とを備えたことを特徴とする請求項１または４に記載の倉庫管理システム。
【請求項８】
前記納品書は印刷されて前記梱包体に同梱されていることを特徴とする請求項７に記載の倉庫管理システム。
【請求項９】
上記画像データ検索手段は、作業の内容の指示と応答と、その作業の撮影時刻とを含む応答記録データファイルを検索して抽出応答データを得て、前記抽出画像データとともに前記ダウンロードサイトにアップロードすることを特徴とする請求項７に記載の倉庫管理システム。
【請求項１０】
コンピュータを、請求項１に記載の検索装置として機能させる倉庫管理システム用コンピュータプログラム。
【請求項１１】
請求項４または５に記載の自動音声応答手段と、音声認識手段と、画像合成手段として機能させる倉庫管理システム用コンピュータプログラム。
【請求項１２】
コンピュータを、請求項７に記載の符号化手段と、納品書生成手段と、復号化手段と、画像データ検索手段と、通知手段として機能させる倉庫管理システム用コンピュータプログラム。
【請求項１３】
請求項１０乃至１２のいずれかに記載の倉庫管理システム用コンピュータプログラムを記録したコンピュータで読み取り可能な記録媒体。
【発明の詳細な説明】
【技術分野】
【０００１】
本発明は、倉庫内で物品が入庫から出庫までどのように扱われたかを画像により詳細に解析できる倉庫管理システムに関する。
【背景技術】
【０００２】
物品を倉庫に保管して要求に応じてその物品を取り出して発送をするといった処理をコンピュータで管理するために倉庫管理システムが設けられている。こうした倉庫管理システムにおいて、保管した物品を指示伝票に従ってピックアップする作業の確認のために、ピッキングした物品と容器を撮影した画像と投入指示情報とを並べて表示し、ピッキングの結果を照合する技術が知られている（特許文献１参照）。
【先行技術文献】
【特許文献】
【０００３】
【特許文献１】特開２００８−１００７９８号
【特許文献２】特許５７１９１３７号公報
【発明の概要】
【発明が解決しようとする課題】
【０００４】
既知の従来の技術には、次のような解決すべき課題があった。
顧客からの要請により顧客に届けられた物品が倉庫内でどのように扱われたかを調べたい場合がある。また、倉庫内で作業する作業員の行動が原因で問題が生じたような場合に、その原因を調査したい場合がある。
【０００５】
しかしながら、実際には、物品を入庫してから出庫するまでには多数の工程を経る。こうした現場を撮影したデータから、該当する物品を取り扱った作業を撮影した画像データを抽出する作業には、きわめて多くの時間と手数を要していた。特に、作業担当者が誤ってあるいは故意に指示伝票の内容と異なる処理をしたような場合に、管理データに記録された物品の識別コードだけを追っても、物品の流れやそれを撮影した画像データを漏れなく抽出することは容易でない。出荷日も出荷先も同一の同一識別コードの物品が多数存在するような場合はなおさらである。
【０００６】
本発明は以上の点に着目してなされたもので、いつでもすみやかに正確に、要請に応えた管理データと画像の両方を自動的に抽出することができる倉庫管理システムを提供することを目的とする。
【課題を解決するための手段】
【０００７】
以下の構成はそれぞれ上記の課題を解決するための手段である。
【０００８】
＜構成１＞
倉庫において入出庫の対象となる物品を倉庫内部で管理するための、管理データの入力操作を受け付ける管理データ入力装置と、その管理データを記憶して処理する管理サーバとが設けられ、
上記物品の保管状態を変更する作業が行われるとき、その物品の識別コードと、その作業場所を特定するデータとが上記管理データ入力装置により取得され、作業の撮影時刻を示すデータとともに、上記管理データに含める処理が実行され、
上記の作業場所には、上記物品の保管状態を変更する作業を撮影するためのカメラが設置されており、
このカメラで撮影をして記憶装置に記憶させた画像データを含む画像データファイルには、その撮影場所を特定するロケーションコードと撮影時刻を特定するデータが属性データとして付加され、
上記カメラの設置時に、撮影した画像から自動的にロケーションコードを取得して、画像データファイルの属性データを生成するロケーションコード設定手段を備え、
任意の物品の保管状態を変更する作業の履歴を検索する検索装置は、
上記の管理データから該当する物品の保管状態を変更する作業の際に上記取得された作業場所を特定するデータと作業の撮影時刻を示すデータとを抽出して、
上記作業場所を特定するデータと上記ロケーションコードとが一致するときはそのロケーションコードを、上記作業場所を特定するデータと上記ロケーションコードとの対応関係を示す参照データが存在するときはその参照データから得られたロケーションコードをキーにして、上記作業の撮影時刻が一致しまたは近似する画像データを上記画像データファイルから抽出して、ディスプレイに表示出力する画像データ検索手段を備えたことを特徴とする倉庫管理システム。
【０００９】
＜構成２＞
作業場所を撮影した画像データに自動的に撮影時刻を示すデータを属性データとして付加する画像データ生成手段を備えたことを特徴とする構成１に記載の倉庫管理システム。
【００１０】
＜構成３＞
管理データを更新するための処理で物品の識別コードと棚番号が入力されたとき、取扱時刻と棚番号に対応するロケーションコードを自動的に取得して管理データに付加する管理データ入力装置を備えたことを特徴とする構成１に記載の倉庫管理システム。
【００１１】
＜構成４＞
作業の担当者が装着するマイクとイヤホンを備えた端末装置と、
この端末装置を通じて、音声を使用して作業の内容の指示と応答を送受信するように制御する自動音声応答手段と、
上記マイクから入力する音声を文字コードに変換する音声認識手段と、
上記文字コード化された作業の内容の指示と応答と、その作業の撮影時刻とを含む応答記録データファイルと、
上記画像データ検索手段により、画像データファイルから抽出された画像データの作業の撮影時刻を読み取って、この作業の撮影時刻の前後の一定の時間範囲か一定のデータ量を設定して、該当する抽出応答データを応答記録データファイルから取り出し、上記画像データと合成して上記ディスプレイに表示出力する画像合成手段を備えたことを特徴とする構成２に記載の倉庫管理システム。
【００１２】
＜構成５＞
作業の担当者が装着するマイクとイヤホンを備えた端末装置と、
この端末装置を通じて、音声を使用して作業の内容の指示と応答を送受信するように制御する自動音声応答手段と、
上記マイクから入力する音声を文字コードに変換する音声認識手段と、  上記文字コード化された作業の内容の指示と応答と、その作業の撮影時刻とを含む応答記録データファイルと、
上記画像データ検索手段により、画像データファイルから抽出された画像データの作業の撮影時刻を読み取って、この作業の撮影時刻の前後の一定の時間範囲か一定のデータ量を設定して、該当する抽出応答データを応答記録データファイルから取り出し、上記画像データと同期させて上記ディスプレイに表示出力する画像合成手段を備えたことを特徴とする構成２に記載の倉庫管理システム。
【００１３】
＜構成６＞
上記ディスプレイには、画像データファイルから読み出された撮影画像を表示する撮影画像表示ウインドウと、応答記録データファイルから読み出された文字データを表示する応答表示ウインドウとが表示され、
上記撮影画像と上記応答記録データの表示を同期させる手段と、
上記撮影画像の表示を固定した状態で上記応答記録データの表示をスクロールさせる手段と、
上記応答記録データの表示を固定した状態で上記撮影画像の表示をスクロールさせる手段とを備えたことを特徴とする構成５に記載の倉庫管理システム。
【００１４】
＜構成７＞
出荷される梱包体毎に、その梱包体の前記倉庫内部での梱包作業を撮影した画像を、前記画像データファイルから抽出するための検索式もしくは検索式を特定するデータを符号化して、照会コードを生成する符号化手段と、
前記梱包体の納品書に前記照会コードを表示する納品書生成手段と、
前記照会コードを受信して前記検索式を生成する復号化手段と、
前記検索式を使用して前記画像データファイルから抽出画像データを得る画像データ検索手段と、
前記抽出画像データをダウンロードサイトにアップロードして、出荷先にそのウェブサイトを指定する情報を送信する通知手段とを備えたことを特徴とする構成１または４に記載の倉庫管理システム。
【００１５】
＜構成８＞
前記納品書は印刷されて前記梱包体に同梱されていることを特徴とする構成７に記載の倉庫管理システム。
【００１６】
＜構成９＞
上記画像データ検索手段は、作業の内容の指示と応答と、その作業の撮影時刻とを含む応答記録データファイルを検索して抽出応答データを得て、前記抽出画像データとともに前記ダウンロードサイトにアップロードすることを特徴とする構成７に記載の倉庫管理システム。
【００１７】
＜構成１０＞
コンピュータを、構成１に記載の検索装置として機能させる倉庫管理システム用コンピュータプログラム。
【００１８】
＜構成１１＞
構成４または５に記載の自動音声応答手段と、音声認識手段と、画像合成手段として機能させる倉庫管理システム用コンピュータプログラム。
【００１９】
＜構成１２＞
コンピュータを、構成７に記載の符号化手段と、納品書生成手段と、復号化手段と、画像データ検索手段と、通知手段として機能させる倉庫管理システム用コンピュータプログラム。
【００２０】
＜構成１３＞
構成１０乃至１２のいずれかに記載の倉庫管理システム用コンピュータプログラムを記録したコンピュータで読み取り可能な記録媒体。
【発明の効果】
【００２３】
物品の検品処理等の作業をカメラで撮影して記録するとき、その作業時刻と作業場所とを示すデータを管理データに含めておく。同一物品について、様々な場所で行われる作業について、同様の処理をしておく。その一方で、カメラでその作業を撮影して得られた画像データに、撮影場所を特定するロケーションコードを付加しておく。作業場所とロケーションコードとを一定の関係になるように対応付けておく。これにより、例えば、特定の物品あるいは特定の梱包体について、倉庫内で行われた全ての作業内容についてこれを撮影した画像を一挙に収集できる。さらに作業時刻示すデータを付加し、作業中に作業者が発生した音声等を文字に変換しておく。そして、画像と文字を同期させて再生すると、作業の具体的な確認を効率よく行える。そして、出荷先の要求に従って、梱包体ごとに自動的に取扱状態を検索して抽出できるようにしておくと、出荷先の検収作業を効率化できる。
【図面の簡単な説明】
【００２４】
【図１】倉庫管理システムの主要部説明図である。
【図２】ロケーションコード設定画面の一例を示す説明図である。
【図３】検品処理操作画面の説明図である。
【図４】本発明のシステムの一例を示すブロック図である。
【図５】画像データ検索画面とその動作の説明図である。
【図６】実施例２の倉庫管理システムを示すブロック図である。
【図７】実施例３の倉庫管理システムを示すブロック図である。
【図８】実施例４の倉庫管理システムの処理手順を示すブロック図である。
【発明を実施するための形態】
【００２５】
物品の入庫処理や出庫処理等を行う場所には、担当者が物品を検品処理するための作業場所が多数設けられている。入庫のための検品処理を終えると、各物品はそれぞれ指定された保管場所に運搬されて保管される。検品処理では、検品対象の物品の識別データや個数その他の伝票上の諸事項や作業担当者の識別データ等を管理データに入力する。入庫処理や出庫処理で、検品を行った場所を管理データに記録することは、従来必ずしも要求されていないが、本発明では、この検品作業を撮影した画像データの検索を容易にするために、作業場所を特定するロケーションコードと作業時刻とを管理データに入力する。
【００２６】
本発明では、全ての検品作業をカメラにより動画等で撮影する。このとき撮影して取得された画像データファイルには、上記のように作業場所を特定するロケーションコードを付加する。作業場所を特定するデータは、カメラの設置場所を特定するデータでよい。また、撮影された画像データには、さらに、撮影時刻を属性データとして付加する。これにより、物品の入庫時や出庫時の全ての作業について、撮影時刻とロケーションコードを用いて検索をして、撮影された画像データを抽出して作業内容を確認することができる。即ち、この画像データには、その撮影時刻に、ロケーションコードで示された場所で該当する物品について所定の作業がされている状態が写っている。
【００２７】
一方、物品を保管場所として設けられた棚上に保管するときには、従来より、その棚を特定するための識別データを管理データに入力している。この棚を特定するための識別データは、そのまま保管作業の作業場所を特定するデータにすることもできる。しかしながら、カメラで棚を撮影すると、複数の棚と複数の物品の画像が同時に撮影されてしまうことがある。従って、カメラの設置場所を特定するロケーションコードと棚番号とを一対一で対応させることはできない。
【００２８】
そこで、例えば、カメラで撮影して取得された画像データファイルには、上記のロケーションコードを付加する一方、例えば、予め棚番号とロケーションコードとの対応関係を示す参照データを作成しておく。そして、物品を保管したりピッキングをしたりするとき、管理データ入力装置を使用して棚番号を入力すると、自動的に参照データが参照されて、該当するロケーションコードが管理データに入力されるようにする。
【００２９】
例えば、上記のような処理によって、管理データと画像データファイルとが共通のロケーションコードにより検索することが可能になる。例えば、ある物品について、その入庫から出庫までの全ての作業に関する管理データとその作業を撮影した画像データを、ロケーションデータをキーにして漏れなく一挙に抽出できる。以下、本発明の実施の形態を実施例毎に詳細に説明する。
【実施例１】
【００３０】
図１は倉庫管理システムの主要部説明図である。
図のように、物品を保管する倉庫１２には、入荷物品受け入れ場所１４と保管場所１６と梱包作業場所１８と出荷処理場２０といった領域が設けられている。物品２６が入庫すると、入荷物品受け入れ場所１４で検品処理がされて、保管場所１６の所定の棚に保管される。そして、出庫指示が出ると、該当する物品２６が保管場所１６からピックアップされて、梱包作業場所１８に移される。図の下側の円内には、梱包作業場所１８の一部の拡大斜視図を図示した。物品２６は、検品処理の後に梱包容器２４に収納されて、出荷処理場２０を経て出荷される。
【００３１】
（物品の流れ）
倉庫１２に入庫した物品２６については、出庫するまで、保管状態を変更する作業が行われるたびにその管理データが更新される。保管状態を変更する作業というのは、入荷物品受け入れ場所１４から入庫した物品を指定された保管場所１６の棚上に移して保管し、その後ピックアップして梱包作業場所１８に運び梱包して、出荷処理場２０を経て出荷するといった、物品２６を移動させる作業のことである。
【００３２】
取扱担当者は、倉庫１２への物品２６の入庫時と、保管場所１６の棚への保管時と、ピッキング時と、梱包容器２４への梱包時と、トラック等への積み込み時等に、例えば、バーコードスキャナ２２とタブレット式コンピュータ等の管理データ入力装置２３を使用して管理データ３４を更新する。このときは、物品２６に付された指示伝票に記載された物品の数量その他の情報に加えて、担当者の識別コード３６と、物品の識別コード３８と、作業場所を特定するためのデータを含める。管理データ入力装置２３はネットワークを通じてこの管理データ３４を管理サーバ５４に入力する。
【００３３】
この実施例では、梱包作業のために梱包容器２４を置く作業棚２８に、作業場所を特定するためのロケーションコード３０を印刷したラベルが貼り付けられている。このロケーションコード３０はバーコードスキャナ２２により光学的に読み取られて取得される。ここでは、このロケーションコード３０が作業場所を特定するためのデータである。担当者は自分の作業着の胸の名札から、バーコードスキャナ２２を用いて担当者の識別コード３６を取得する。物品の識別コード３８は、物品２６やその包装に印刷されたバーコードをバーコードスキャナ２２を用いて読み取って取得する。
【００３４】
なお、保管場所１６においては、物品２６を棚に保管する場合の保管場所を特定する棚番号２９とロケーションコード３０とは独立させて設けることが好ましい。この例では、棚番号２９から自動的に対応するロケーションコード３０を取得して管理データ３４に付加している。ロケーションコード３０は倉庫１２を大きく区分して作業場所を特定する。しかし、物品２６を保管する棚は縦横に多数配置されている。そこで、例えば、同一のロケーションコード３０で複数の棚番号２９を対応させるように対応表を作成しておくとよい。
【００３５】
管理サーバ５４は、バーコードスキャナ２２が取得したデータを管理データ３４に追記して記憶装置に記憶する。記憶装置は、例えば、管理サーバ５４に内蔵されている。このとき、管理サーバ５４は、自動的に管理データ３４の取扱時刻５０を生成して、属性データとして付加する。なお、管理データ３４には、入出庫される全ての物品２６について、その識別コード３８と対応させて、指示伝票番号、商品名、購入元、製造番号、ロット番号、賞味期限、出荷先等のデータが含まれている。従って、物品２６が倉庫１２内を移動すると、その物品２６がいつどこからどこに保管されてどのように移動して出荷されたかを示す詳細なデータが管理サーバ５４に蓄積される。
【００３６】
この倉庫管理システムにおいては、倉庫１２への物品２６の入庫から出庫までの全ての操作をカメラ３９で撮影する。動画撮影が好ましい。物品２６の保管状態を変更する全ての作業場所に、その物品２６の取扱作業を連続的に撮影するカメラ３９を設置する。これらのカメラ３９で撮影したデータが画像データファイル４０である。この画像データファイル４０には、カメラ３９による撮影場所を示すロケーションコード３０ま撮影時刻４２が属性データとして付加されている。
【００３７】
例えば、カメラ３９の設置場所全てに、それぞれの設置場所を区別できるロケーションコード３０を設定しておく。ロケーションコード３０は、倉庫１２内を、それぞれ一台のカメラ３９で撮影できる広さの領域で区切って、各領域を区別できるようにしたデータである。
【００３８】
本発明では、画像データファイル４０の属性データであるロケーションコード３０と管理データ３４に含まれるロケーションコード３０とを照合することにより、管理データと撮影画像データとをリンクさせる。従って、担当者が管理データ入力装置２３を使用して管理データ３４を入力するときには、必ずロケーションコード３０が入力されるように制御する。また、カメラ３９を設置するときには、これにより撮影された画像データファイル４０に必ずロケーションコード３０が付加されるように制御する。
【００３９】
図２は、ロケーションコード設定画面４４の一例を示す説明図である。
この図２を参照しながら図１の説明を続ける。ロケーションコード設定手段４６は、管理サーバ５４（図１）のコンピュータプログラムにより起動される。ロケーションコード設定手段４６は、ロケーションコード設定画面４４を、例えば、担当者の所持する管理データ入力装置２３に表示する機能を持つ。ロケーションコード設定画面４４には、カメラ３９の撮影した画像データファイル名４５を入力する欄と、ロケーションコード３０を入力する欄とが設けられている。これらのデータは入力が必須とされており、両方を入力した後にオーケーボタン４８を操作すると、管理サーバ５４の記憶装置に画像データファイル４０が保存できる。
【００４０】
ロケーションコード３０は、例えば、作業棚２８（図１）等に貼り付けられたラベルやＩＣタグ等を読み取って自動的に入力されてもよいし、カメラ３９を設置する担当者により手入力されてもよい。ロケーションコード３０は、カメラ３９の撮影した画像データファイル４０の属性データだから、カメラ３９を倉庫内の特定の領域に設置したときに一回だけ実行されればよい。そのカメラ３９を別の領域に移したときには、再度この処理を実行する。例えば、画像データファイル名４５をロケーションコード３０に設定すればよい。あるいは、画像データファイル名４５とロケーションコード３０の対応表を設けてもよい。
【００４１】
一方、カメラ３９によりその領域内で作業する担当者や物品の画像を撮影すると、画像データ生成手段４７が、取得された画像データ４３と撮影時刻４２とを、自動的に属性データとして付加する。図では画像データ４３を画像データ群と表示した。これは例えば、一区切りの作業を撮影した動画あるいは多数の静止画により構成される。撮影時刻４２は撮影開始時刻であって、画像データ群を構成する各画像データの撮影時刻は換算により取得することができる。また、コンピュータの内蔵時計を使用して、全ての画像データ一枚ずつに自動的に撮影時刻を示すデータが付加されるようにしてもよい。
【００４２】
物品の識別コード３８や梱包容器２４の識別コードや図１中で示した標識３２等が明瞭に撮影されていることが好ましい。標識３２は、梱包箱２４を特定するデータで、これにより出荷先も特定される。これらを画像処理により自動的に認識してコード化し、画像の属性データとして付加してもよい。コンピュータにより担当者の顔を認識できる場合には、その認識結果を属性データとして付加するとよい。
【００４３】
同じ場所に配置されたカメラで撮影した画像データファイル４０には必ず１個のロケーションコード３０が設定される。カメラを移動させて撮影した画像データが混在している画像データファイル４０があってもよい。その場合には、新たなロケーションコード３０を付加した画像データファイル４０が生成される。カメラ３９を移動させることはないという場合には、１台のカメラには１個のロケーションコード３０を固定的に設定する。
【００４４】
カメラ３９は、物品２６を取り扱う全ての場所に設置されて、商品の取扱い業務を全て撮影する。就業時間中は連続運転していてよい。また、撮影範囲に移動体を検出したときに自動的に起動して撮影を開始し、もとの状態に戻ったときに撮影を終了するというように動作するとよい。数秒おきに静止画を撮影するものでもよいし、動画を撮影するものでもよい。動画は静止画の集合体とみなすことにする。
【００４５】
図３は、検品処理操作画面の説明図である。
物品２６が倉庫１２に入荷してから出庫するまでの間、物品２６は倉庫１２内を移動してその保管状態が変更される。その処理の前後で必ず検品処理が行われる。例えば、入荷時に、物品２６がトラックから下ろされると検品を受ける。この時、物品の識別コード３８と取扱担当者の識別コード３６とが入力される。取扱担当者の識別コード３６を入力すると、図３に示した検品処理操作画面５３には、担当者名４９が自動的に表示される。取扱時刻５０はコンピュータの内蔵時計によって自動的に入力される。
【００４６】
入庫作業のときは、取扱担当者に対して、ロケーションコード３０の入力を要求する。取扱担当者は、図１に示したように、作業場所に設けられたバーコードやタグをバーコードスキャナ２２で読み取って、ロケーションコード３０を入力する。入荷した物品２６は指定された棚まで運搬されて保管される。物品２６を棚に保管する時にも、入荷時と全く同じ検品処理が行なわれる。その後、ピックアップされて、梱包作業場所１８に移動される。梱包が終了するとトラック等に積み込まれて出荷される。このように物品２６が移動するたびに、検品処理が行なわれる。
【００４７】
なお、図２の例では、物品２６の保管場所１６を管理データ３４に登録するために、棚毎に表示された棚番号２９を入力する例を示した。カメラ３９は複数の棚を一画面に含めて撮影することができることがある。従って、複数の棚番号と一個のロケーションコード３０とを対応させた参照データ５６を設けておく。即ち、検品処理操作画面５３に棚番号２９が入力されると、管理データ入力装置２３は自動的に参照データ５６を参照してロケーションコード３０を取得し、検品処理操作画面５３に表示する。その後、オーケーボタン５２を操作すれば、管理データ３４が管理サーバ５４（図１）に入力される。
【００４８】
図４は、本発明のシステムの一例を示すブロック図である。
この図を用いて、既に説明した各データの相互関係を説明する。管理データ３４は管理サーバ５４の記憶装置に記憶されて管理される。既に説明したように、管理データ３４は、物品の識別コード３８と、出荷先（又は移動先）、製造日、商品名、賞味期限、ロット番号、製造番号、購入元等のデータを含む。これに、倉庫１２内で物品２６の保管状態を変更するたびに、取り扱い担当者の識別コード３６、移動元や移動先のロケーションコード３０、取扱時刻５０といった、現場入力データ５８が付加される。
【００４９】
カメラ３９はネットワークを介して管理サーバ５４に接続されている。倉庫内の多数のカメラ３９が撮影した画像データ４３は、管理サーバ５４に転送されてその記憶装置に記憶される。図４に示すように、現場入力データ５８が生成されると、物品の識別コード３８をキーにして管理データ３４が更新される。
【００５０】
この、現場入力データ５８の入力操作時に、取扱時刻５０が属性データとして付加されるが、この作業が、作業場所に設置されたカメラ３９に撮影されていると、いずれかの画像データの撮影時刻４２は、取扱時刻５０と一致する。ロケーションコード３０も共通する。こうして、現場入力データ５８と画像データファイル４０とが関連付けられる。これにより、管理サーバ５４において、特定の物品２６の処理過程をその管理データ３４と画像データファイル４０の両方で確認したいという場合に、次のようにして画像データの検索が可能になる。
【００５１】
図５は、画像データ検索画面とその動作の説明図である。
画像データ検索画面６２には、物品の識別コード３８を入力する欄が設けられており、ここに識別コード３８を入力すると、物品名６３が自動的に表示される。画像データ検索画面６２では、取扱担当者、出荷先、出荷日、出荷数量、賞味期限、ロット番号、製造番号、購入元その他の検索キーを入力する欄が設けられている。キー選択ウインドウ７４中の検索キーを選択してチェックボックス６６にチェックマークを入力し、検索実行ボタン６８を操作すると倉庫管理データ検索手段７０が起動する。
【００５２】
図の例では、物品の識別コード３８が「９５０１１１１」の物品２６であって、出荷先７６と出荷日７８とが分かっているものについて、その処理経過の抽出を要求している。管理データ３４を検索して、該当する物品の取扱時刻５０とロケーションコード３０の組を何組か出力する。画像データ検索手段７２は、これらの作業を撮影した画像データを読み出す処理を実行する。
【００５３】
画像データ検索手段７２は、ロケーションコード３０の一致する画像データファイル４０から、取扱時刻５０と撮影時刻４２が一致する画像データを選択する。完全一致でなくてもよい。一連の作業を撮影した画像データのいずれかを抽出すればよい。そして、図５に示すように、例えば、入荷時と、保管場所１６への保管時、ピッキング時、出荷時等の撮影画像を一挙に表示する。取扱時刻５０と撮影時刻４２とが近似した画像を表示して、シフトボタン８２を操作することによりその前後の状態の画像を見ることができるようにする。動画を表示させてもよい。
【００５４】
以上の処理は、管理サーバ５４や管理サーバ５４に接続された、例えば、管理データ入力装置２３を操作して実行できる。管理サーバ５４中の倉庫管理データ検索手段７０と画像データ検索手段７２とを起動することにより処理が起動される。管理データ入力装置２３に表示された画像データ検索画面６２により検索キーを指定することで、該当する処理履歴とその作業を撮影した画像を瞬時に一括して表示することができる。
【００５５】
以上のように、本発明のシステムにより、例えば、特定商品の、特定出荷先の、特定ロット番号（製造年月日等）の特定賞味期限のものについて、といった対象の特定のしかたで、関連する画像データの検索が一挙にできる。特に、商品の識別コードが同一で同じ賞味期限の商品が、保管場所の異なる棚に散在しているような場合でも、参照データ５６と画像データファイル４０が共通のロケーションコード３０を有するので、確実に該当する物品の処理過程とそれを撮影した全ての画像を一挙に抽出して確認処理をすることができる。
【００５６】
以上説明した本発明のシステムでは、ロケーションコード３０を利用することにより、全ての物品２６の管理データとその物品２６が取り扱われた場所で撮影された画像データとをリンクさせることができる。これを利用すると、例えば、同一の識別コードの物品２６が多数ある場合であっても、まず、管理データを解析することにより、それぞれ何個の物品２６がどの棚に保管されて、いつどのような過程でどこに出荷されたか、あるいはまだ棚に保管されているかを調べることができる。
【００５７】
例えば、出荷用に梱包された商品の中に間違った商品が入っていたと、後日、顧客から連絡があったとする。しかしながら実績データを検索しても正しく出荷されているので欠品ではない、間違った商品を手配して送ってしまったかもしれない。従来はこの場合、顧客の話を信用するしかない。しかしながら、このシステムを使用すると、客先への正確な調査報告を迅速に作成できる。
【００５８】
即ち、ある出荷日７８にある宛先に向けて出荷された物品はいつ入荷されてどの棚に保管されていたものかを調べることができる。次に、該当する物品２６が出荷されるまでに更新された管理データから、取扱時刻とロケーションコードとを抽出し、これをキーにして、画像データファイルを検索する。こうして、該当する物品２６または物品２６群が倉庫１２内を移動中に撮影された全ての画像が一挙に出力される。例えば、必要な全ての物品２６が間違いなく梱包されて出荷されていれば、それらの画像のコピーを届け先に提示して説明をすることができる。
【００５９】
例えば、梱包時に物品の識別コード３８が正しく入力されているにも関わらず、実際には梱包されなかったというような場合に、物品の識別コード３８と出荷日７８をキーにして撮影画像を抽出することができる。即ち、物品２６の管理データには、その物品２６の倉庫１２内の移動履歴を示す複数のロケーションコード３０が含まれている。そのロケーションコード３０と取扱時刻をキーにして、該当する画像データを抽出する。例えば、担当者が梱包される物品２６の一部に傷があることを発見してその物品２６を抜き取ったにも関わらず補充されずに梱包して出荷してしまったようなケースを発見できる。
【００６０】
さらに、本発明のシステムによれば、カメラ３９の撮影した画像を検索して抽出することにより、特定の商品の流れや、商品の状態、その商品を実際に取り扱った担当者と作業方法の確認、保管された棚の確認等をいつでも簡単に行うことが可能になる。
【００６１】
なお、上記のロケーションコード設定手段４６、画像データ生成手段４７、倉庫管理データ検索手段７０及び画像データ検索手段７２は、管理サーバ５４のコンピュータプログラムにより実現されるが、管理データ入力装置２３のほうに組み込まれていてもよい。また、管理データ入力装置２３は単なる管理サーバ５４の端末装置として機能し、実際の処理は全て管理サーバ５４で実行するようにしても構わない。
【実施例２】
【００６２】
図６は実施例２の倉庫管理システムを示すブロック図である。
上記の実施例に示すとおり、画像データ４３を検索することにより、特定の商品の流れや、商品の状態、その商品を実際に取り扱った担当者と作業方法の確認等をいつでも簡単に行うことができる。例えば、検索の結果抽出した画面をキャプチャーして、報告書とともに関係者に送信する。報告書には、担当者の識別コード３６、物品の識別コード３８、ロケーションコード３０、取扱時刻５０等が記載され、キャプチャーした画面が添付される。
【００６３】
しかしながら、物品の保管状態を変更する作業が行われたとき、その作業が手順を追って確実に行われているかどうかを確認するためには、該当する画像データの前後の画面を動画で表示し、作業内容を詳細に検討することが好ましい。
【００６４】
一方、特許５７１９１３７号公報（特許文献２）に記載されたように、倉庫管理に音声認識ピッキングシステムを採用するケースが増えている。音声認識ピッキングシステムでは、図６に示すように、担当者８４が、マイクとイヤホンを備えた端末装置８６を装着して、コンピュータの自動音声応答手段８８と対話しながらピッキング作業を進める。
【００６５】
通信装置８６は自動音声応答手段８８の送信した指示情報を音声で受信する。担当者８４はその指示に従って作業をする。担当者８４は物品を取り出すとスキャナでスキャンし、そのデータが通信装置８６を通じて自動音声応答手段８８に返信される。
【００６６】
このような作業で、自動音声応答手段８８は担当者８４に細かな指示を出して、音声でやりとりをし、確認をしながら作業をすすめる。自動音声応答手段８８は、担当者８４の音声による応答を受信するとこれを文字コードに変換して処理する音声認識手段９０を備えている。作業を一つずつ音声で確認しながら進めるのでミスを防止できる。担当者８４は両手が自由になり、効率よく作業をすすめられる。
【００６７】
こうしたシステムを採用している場合には、作業中の担当者８４と自動音声応答手段８８との応答内容を調べれば、詳細に具体的に作業の経過を分析することが可能である。そこで、この実施例では、自動音声応答手段８８が、送受信した音声応答を全て文字コードにして応答記録データファイル９２を生成する。
【００６８】
この応答記録データファイル９２から、必要な範囲の抽出応答データ９４を取り出し、図６に示すように、撮影画像と合成した合成画像データ９１が表示出力されるように制御する。抽出応答データ９４の、応答記録データファイル９２には、図６に示すように、自動音声応答手段８８から出力された音声「Ｑ」や担当者８４が発した音声「Ａ」と、スキャナその他の機器の操作記録が含まれる（音声を含まない「Ａ」）。しかも、それぞれ正確な処理時刻データが含まれている。
【００６９】
実施例１で説明した画像データ検索手段７２が抽出した撮影画像も、取扱時刻５０で検索できる。両者の時刻データのフォーマットを一致させておく。画像データ検索手段７２が画像データファイル４０を検索して、該当する撮影画像を抽出したとき、その取扱時刻５０を参照して、応答記録データファイル９２を検索する。
【００７０】
そして、取扱時刻５０を含み、その前後の例えば、５分間の抽出応答データ９４を取り出す。また、あるいは、取扱時刻５０を含み、その前後の例えば、２０行分の抽出応答データ９４を取り出す。即ち、一定の時間範囲か一定のデータ量を設定しておいて、該当する抽出応答データ９４を応答記録データファイル９２から取り出す。そして、画像合成手段９６が、取り出した抽出応答データ９４を撮影画像と合成して、合成画像データ９１を生成する。
【００７１】
こうして、図６に示すように、抽出応答データ９４を含む合成画像データ９１がコンピュータのディスプレイに表示される。この画面をキャプチャして報告書を作成すると、その画像の撮影時刻の前後に行われた具体的な作業を、抽出応答データ９４に含まれた文字で確認できる。
【００７２】
なお、上記の処理を一定の時間範囲で実行すれば、その時間範囲の合成画像データ９１を連続的に表示する動画を生成することができる。これにより、音声と文字と動画とを同期させて、いわゆる字幕入りの動画を任意の範囲で再生することができる。特に、音声が聞き取りにくい場合等に、画面中に表示された文字が有効に機能する。また、音声を録音していない動画についても、文字によって作業内容を的確に解析することができる。
【実施例３】
【００７３】
図７は、実施例３のシステムブロック図である。
図において、ディスプレイ１００には、撮影画像表示ウインドウ１０２と、応答表示ウインドウ１０４とが表示されている。ここで、上記のシステムに、新たに、撮影画像表示制御手段１０６と、応答表示制御手段１０８と、同期制御手段１１０を設ける。また、これらを表示画面上で制御するために、撮影画像制御ボタン１１２と、応答表示制御ボタン１１４と、同期制御ボタン１１６と、キャプチャーボタン１１８を設ける。
【００７４】
撮影画像表示制御手段１０６は、画像データファイル４０から撮影画像を読み出して、撮影画像表示ウインドウ１０２に表示する制御を実行する。応答表示制御手段１０８は、応答記録データファイル９２から文字データを読み出して、応答表示ウインドウ１０４に表示する制御を実行する。
【００７５】
同期制御手段１１０は、撮影画像表示ウインドウ１０２に撮影画像が表示されると、該当する応答データ９４を抽出して応答表示ウインドウ１０４に表示するように制御する。具体的には、同期制御手段１１０から応答表示制御手段１０８に撮影画像を識別する信号が送信される。応答表示制御手段１０８は、応答記録データファイル９２を検索して、該当する文字データを読み出して表示する。
【００７６】
撮影画像制御ボタン１１２と応答表示制御ボタン１１４とは、例えば、手動でデータファイルをの表示をスクロールするための前進ボタンと後退ボタンを備える。これらは図中矢印で表示した。同期制御ボタン１１６は、再生ボタンと停止ボタンを備える。
【００７７】
以上のシステムは次のように動作する。まず、撮影画像制御ボタン１１２の前進あるいは後退ボタンを操作すると、撮影画像表示制御手段１０６が画像データファイル４０から希望する撮影画像を読み出して撮影画像表示ウインドウ１０２に表示させる。次に、同期制御ボタン１１６の再生ボタンを操作すると、撮影画像表示ウインドウ１０２に表示されている撮影画像から、動画表示が開始される。応答表示制御手段１０８は、表示された撮影画像と同期させる応答データ９４を検索して読み出し、応答表示ウインドウ１０４に連動するように表示する。以上の動作により、希望する撮影画像から動画表示が開始され、応答内容を示す文字が同期して表示される。
【００７８】
同期制御ボタン１１６の停止ボタンを操作すると、動画の再生が停止する。ここで、応答表示制御ボタン１１４を操作すると、撮影画像表示ウインドウ１０２の画像表示を固定したままで、応答表示ウインドウ１０４に表示された応答記録データをスクロールすることができる。従って、特定の撮影画像を見ながら、その前後の応答内容を文字で確認することができる。応答記録データ９４の表示を固定したまま、撮影画像制御ボタン１１２を操作して、撮影画像だけを独立してスクロールすることもできる。こうして、解析に最適な情報を表示した画面をディスプレイに表示させて、キャプチャーボタン１１８を操作すれば、その画面を管理サーバ５４（図１）の記憶装置に記憶させて、随時出力することが可能になる。
【００７９】
なお、上記の応答記録データファイル９２には、自動音声応答手段８８から出力された音声「Ｑ」や担当者８４が発した音声「Ａ」や、スキャナその他の機器の操作記録を含める例を説明した。しかしながら、作業指示の内容をディスプレイに文字等で表示したり、応答のために「ＹＥＳ」ボタンと「ＮＯ」ボタンを設けてこれを操作するシステムも存在する。いずれの場合でも、作業内容を読み取ることができる文字情報にして、応答記録データファイル９２を生成しディスプレイに表示すればよい。
【実施例４】
【００８０】
上記の実施例により、梱包される物品の識別コード３８や納品先名や取扱時刻５０等をキーにして画像データファイル４０を検索して、該当する作業を撮影した画面とその作業内容を容易に確認することが可能になった。従って、出荷先からの問い合わせに応じて、担当者が該当する画面を含む各種のデータをデータベースから抽出して出荷先に報告することができる。
【００８１】
そこで、出荷と同時に、出荷先に管理サーバ５４の画像データファイル４０のアクセス方法と検索キーとを通知して、画像データファイル４０の閲覧を認めることが考えられる。そうすれば、出荷先ではいつでも自由に画像データファイル４０を検索して、納入された物品の取扱い経過を確認することが可能になる。しかしながら、顧客が画像データファイル４０にアクセスすることで、第３者の出荷データを知ることも可能になるという問題が生じる。即ち、顧客情報の守秘義務上の問題がある。
【００８２】
管理サーバ５４に、顧客専用サイトを設けて、その顧客に納入された梱包体の取扱い経過を見せるための画像データを保存しておくことが考えられる。しかしながら、大量の出荷物全てについて、それぞれピッキングや出荷作業等を撮影した画像データをサーバに個別に保管しておくのは、記憶領域が膨大になり、現実的でない。この実施例４ではこれを解決する。
【００８３】
図８は実施例４のシステムの動作フローを示す。
この図に示した納品書１２０は、出荷される梱包体に同梱される。同じ内容の納品書が、電子化されて出荷先にメール送信されてもよい。この実施例では、納品書１２０が印刷されて梱包体に同梱されているから検収作業時にただちにその納品書を利用できる。この納品書１２０に、倉庫内部での梱包作業を撮影した画像をいつでも見ることができるように、照会コード１２８を表示しておく。
【００８４】
なお、梱包体というのは、箱や袋に詰められて出荷先に届けられるもののことである。この梱包体には、納入するべき各種の物品が収納されている。出荷先では、その梱包体の内容物品を検収し、万一欠品や間違いを発見すると、照会コード１２８を利用して、その原因を突き止めることができる。
【００８５】
このシステムを実現するために、この実施例では、管理サーバ５４（図１）に、梱包体毎の検索式生成手段１３２と、符号化手段１３４と、納品書生成手段１２９と、認証処理手段１３８と復号化手段１４２とＵＲＬ通知手段１４８とを新たに設ける。画像データ検索手段７２は既に説明した実施例のものを利用する。
【００８６】
梱包が終了すると、例えば、図８に示すように、符号化手段１３４は、管理データ３４から照会コード生成に必要な事項を読み出して、照会コード１２８を生成する。照会コード１２８は、梱包体の倉庫内部での梱包作業を撮影した画像を、画像データファイル４０から抽出するための検索式を、例えば、そのまま符号化したものである。なお、照会コード１２８は、梱包体を識別して、いずれかの手段で該当する検索式を特定することができる記号であればよい。検索式は、画像データ検索手段７２が動作できる検索キーを並べたようなもので構わない。
【００８７】
この実施例の照会コード１２８は、会員番号１３１と検索式１３０とを、例えば、圧縮暗号化等の演算処理によって数字に変換したものである。単なる数字を列挙したものでよいし、英数字でも構わない。なお、納品書１２０には、照会コード１２８を携帯電話で読み取れる２次元コード１２６を印刷しておくことが好ましい。
【００８８】
出荷先の担当者は、管理サーバ中のデータファイルをアクセスすることができないから、検索式を知っても利用することはできない。だから、照会コード１２８は検索式そのままでも構わない。しかし、検索式は一般に複雑な構造になる。そこで、符号化手段１３４を使用して簡単な構造の照会コード１２８を生成して出荷先に通知するようにした。
【００８９】
出荷先の担当者は、梱包体を開封して、納品書を見ながら検収処理を行う。全品目が間違いなく納入されていればよいが、例えば、欠品等があった場合には、携帯電話やスマートホンを使用して、出荷元の運用するサイトにログインする。図８に示す納品書の２次元コード１２６をスマートホンで読み取って送信操作をすると、管理サーバ５４（図１）の認証処理手段１３８が、電話番号から自動的に認証処理をして照会コード１２８を取得する。
【００９０】
照会コード１２８が取得されると、復号化手段１４２は管理データ３４を参照して、会員番号１３１と検索式１３０とを復元する。照会コード１２８が、単に梱包体を識別するためだけのコードであれば、復号化手段１４２は、管理データ３４を利用して、該当する検索式を生成して、画像データ検索手段７２に渡せばよい。
【００９１】
管理サーバの画像データ検索手段７２は、この検索式１３０を使用して、画像データファイル４０と応答記録データファイル９２とを検索する。こうして、抽出画像データ１４４と抽出応答データ９４とが得られる。これらのデータを管理サーバ５４（図１）のダウンロードサイト１４６にアップする。特定の梱包体のみについて該当データを抽出するからそのデータ量は大きくない。従って、ダウンロードサイト１４６の記憶容量も少なくて済む。
【００９２】
ＵＲＬ通知手段１４８は、照会コード１２８に含まれた会員番号１３１を参照して、管理データ３４から顧客の登録メールアドレスを取り出す。そして、検索処理終了後に、その登録メールアドレス宛てに、ダウンロード用ＵＲＬを送信する。以上の処理が全て自動的に実行されるから、出荷先の担当者はいつでもその梱包体の倉庫での梱包作業の状態を確認できる。
【００９３】
専用のダウンロードサイトにアップロードされた抽出画像データ１４４と抽出応答データ９４とは、例えば、図７のディスプレイ１００に示したような画面で表示できる。従って、スクロールをすることにより、全ての梱包工程を詳細に確認することができる。これらの抽出データは、ダウンロードサイトで閲覧をしてもよいし、出荷先のパーソナルコンピュータ等にダウンロードして利用してもよい。
【００９４】
連日、多量の梱包作業や出荷作業を行っている流通センター等で、トラブルの発生により梱包体の取扱い経過を確認しなければならないケースはそのごく一部である。しかしながら、その対応のために専用の担当者を配置するのはコストアップを招く。この実施例のように、出荷先の担当者が、いつでも受け取った部品の取扱い経過を、自動的に見ることができるシステムは、顧客の便宜と信頼を得る効果もある。
【符号の説明】
【００９５】
１２  倉庫
１４  入荷物品受け入れ場所
１６  保管場所
１８  梱包作業場所
２０  出荷処理場
２２  バーコードスキャナ
２３  管理データ入力装置
２４  梱包容器
２６  物品
２８  作業棚
２９  棚番号
３０  ロケーションコード
３２  標識
３４  管理データ
３６  担当者の識別コード
３８  物品の識別コード
３９  カメラ
４０  画像データファイル
４２  撮影時刻
４３  画像データ
４４  ロケーションコード設定画面
４５  画像データファイル名
４６  ロケーションコード設定手段
４７  画像データ生成手段
４８  オーケーボタン
４９  担当者名
５０  取扱時刻
５２  オーケーボタン
５３  検品処理操作画面
５４  管理サーバ
５６  参照データ
５８  現場入力データ
６２  画像データ検索画面
６３  物品名
６６  チェックボックス
６８  検索実行ボタン
７０  倉庫管理データ検索手段
７２  画像データ検索手段
７４  キー選択ウインドウ
７６  出荷先
７８  出荷日
８２  シフトボタン
８４  担当者
８６  端末装置
８８  自動音声応答手段
９０  音声認識手段
９１  合成画像データ
９２  応答記録データファイル
９４  抽出応答データ
９６  画像合成手段
１００  ディスプレイ
１０２  撮影画像表示ウインドウ
１０４  応答表示ウインドウ
１０６  撮影画像表示制御手段
１０８  応答表示制御手段
１１０  同期制御手段
１１２  撮影画像制御ボタン
１１４  応答表示制御ボタン
１１６  同期制御ボタン
１１８  キャプチャーボタン
１２０  納品書
１２６  ２次元コード
１２８  照会コード
１２９  納品書生成手段
１３０  検索式
１３１  会員番号
１３２  梱包体毎の検索式生成手段
１３４  符号化手段
１３８  認証処理手段
１４２  復号化手段
１４４  抽出画像データ
１４６  ダウンロードサイト
１４８  ＵＲＬ通知手段
【図１】
0006534598.tif 000002
【図２】
0006534598.tif 000003
【図３】
0006534598.tif 000004
【図４】
0006534598.tif 000005
【図５】
0006534598.tif 000006
【図６】
0006534598.tif 000007
【図７】
0006534598.tif 000008
【図８】
0006534598.tif 000009